(57)【要約】【課題】  持ち運びが容易かつ使用後の取り扱いが簡単でキャンプ場等のアウトドアや災害時或いは介護用としても好適な簡易便器を提供する。【解決手段】  前方に開口し左右両側部８ａの一部が便座支持部８ｂを形成する略コの字型の着座ベース８と、展開した状態で着座ベースを略水平に支持し折畳んだ状態で重なる前後の脚部６，７とを有する折畳み式椅子２と、前方に開口する略Ｕ字状をなし、後部３ｂが着座ベースの後部８ｄに回動自在に取り付けられ左右両側部が着座ベースの左右の便座支持部に載置されて略水平に支持される便座３と、袋状をなし開口部４ａの通し部４ｂに便座の左右両側部３ａが前端から後部まで入出可能に挿入されて便座の下方に垂下し、開口部の下方位置に当該位置を括る紐２０を有する収納袋４とを備えた構成としている。【選択図】  図１ 
0003114736.tif 000002
【実用新案登録請求の範囲】
【請求項１】
前方に開口し左右両側部の一部が便座支持部を形成する略コの字型の着座ベースと、展開した状態で前記着座ベースを略水平に支持し、折畳んだ状態で重なる前後の脚部とを有する折畳み式椅子と、
前方に開口する略Ｕ字状をなし、後部が前記着座ベースの後部に回動自在に取り付けられ、左右両側部が前記着座ベースの左右の便座支持部に載置されて略水平に支持される便座と、
袋状をなし、開口部に形成された通し部に前記便座の左右両側部が前端から後部まで入出可能に挿入されて前記便座の下方に垂下し、前記開口部の下方位置に当該位置を括る紐を有する収納袋とを備えたことを特徴とする簡易便器。
【請求項２】
前記折畳み式椅子は、前記便座に重なるように配置されて後部が前記便座の後部に回動自在に支持され、当該折畳み式椅子を展開した状態において起立されて上部が前記着座ベースの上部に支持される背凭れが設けられていることを特徴とする、請求項１に記載の簡易便器。
【請求項３】
前記折畳み式椅子は、展開した状態において前記着座ベースの両側部に起立する肘掛が設けられていることを特徴とする、請求項１又は請求項２に記載の簡易便器。
【考案の詳細な説明】
【技術分野】
【０００１】
本考案は、キャンプ場等のアウトドアや災害時或いは介護用として好適な簡易便器に関する。
【背景技術】
【０００２】
移動式便所は、通常所定の場所に保管されており、必要に応じて建設現場や災害が発生した時に被災地に車両に搭載して運んで所望の場所に設置し仮設便所として使用される。このような移動式便所は、鋼板により箱形に構成されており、大型でかつ重量も重く簡便に使用することができない。
【０００３】
そこで、乗用車等に搭載することができキャンプ場等のアウトドアに使用することができる携帯用簡易トイレが提案されている（例えば、特許文献1参照。）。この携帯用簡易トイレは、開口部が形成された便座の前後の脚部材を、便座の面と略平行位置まで折り畳み、便座裏面の収容凹部内に収容可能に構成すると共に、蓋体を便座の端部に開閉可能に枢着して開口部を閉塞するように構成し、便座の一端に枢着された背もたれ枠を、便座の面と略平行位置まで折り畳み可能に構成して、この背もたれ枠に箱形の支持枠を係脱自在に装着し、便座の上面に収納袋を備えた便座シートを着脱自在に取付けた構成としたものである。
【特許文献１】特開２００２−２００００６号公報（４−５頁、図１）
【考案の開示】
【考案が解決しようとする課題】
【０００４】
しかしながら、上記構造の携帯用簡易トイレは、便座に形成された開口部の上方から便座シートが設けられた収納袋を落とし込み、便座の上面に便座シートを載置する構成であるために使用後便座の開口部から収納袋を持ち上げて取り出すことが必要であり、収納袋の着脱がし難く、特に高齢者や身体が不自由な人にとって取り扱いが困難であるという問題があり、介護用の簡易トイレとしては不適当である。
【０００５】
本考案の目的は、持ち運びが容易かつ使用後の取り扱いが簡単でキャンプ場等のアウトドアや災害時或いは介護用としても好適な簡易便器を提供することにある。
【課題を解決するための手段】
【０００６】
上記目的を達成するために本考案に係わる簡易便器は、前方に開口し左右両側部の一部が便座支持部を形成する略コの字型の着座ベースと、前記着座ベースを支持し展開した状態で前記着座ベースを略水平に支持し、折畳んだ状態で重なる前後の脚部とを有する折畳み式椅子と、前方に開口する略Ｕ字状をなし、後部が前記着座ベースの後部に回動自在に取り付けられ、左右両側部が前記着座ベースの左右の便座支持部に載置されて略水平に支持される便座と、袋状をなし、開口端に形成された通し部に前記便座の左右両側部が前端から後部まで入出可能に挿入されて前記便座の下方に垂下し、前記開口端の下方位置に当該位置を括る紐を有する収納袋とを備えたことを特徴としている。
【０００７】
所望の場所に折畳み椅子を展開して便座を適当な位置まで下げた状態で収納袋の通し部に前方に開口する両側部を先端から後部まで挿入する。次いで、便座を更に下げて両側部の前部を着座ベースの左右の支持部に載置する。このようにして、便座に収納袋を装着する。この状態において便座が略水平となる。
【０００８】
使用後便座の前部を僅かに持ち上げて支持部から離隔し、収納袋を前方に引き出して便座から取り外す。このように使用後に収納袋を前方に引き出すだけの操作ですみ、取り外しが極めて容易である。次いで、紐を複数回巻きつけて括り密封する。
【０００９】
また、本考案の請求項２に記載の簡易便器は、請求項１に係わる簡易便器において、前記折畳み式椅子は、前記便座に重なるように配置されて後部が前記便座の後部に回動自在に支持され、当該折畳み式椅子を展開した状態において起立されて上部が前記着座ベースの上部に支持される背凭れが設けられていることを特徴としている。
【００１０】
使用者は、便座に着座して背凭れに寄りかかることができるために安定した姿勢で使用することができる。特に高齢者や身体が不自由な人にとっても使い心地が良く好適である。また、便座に背凭れを重ねて着座シートとすることで椅子としても使用することができ有用である。
【００１１】
また、本考案の請求項３に記載の簡易便器は、請求項１又は請求項２に係わる簡易便器において、前記折畳み式椅子は、展開した状態において前記着座ベースの両側部に起立する肘掛が設けられていることを特徴としている。
【００１２】
使用者は、便座に着座したときに前記背凭れに寄りかかることができると共に肘掛にも寄りかかることができるために安定した姿勢で使用することができ、特に高齢者や身体が不自由な人にとっても使い易い。
【考案の効果】
【００１３】
本考案によると、折畳み式椅子を使用することにより持ち運びが容易であり、キャンプ場等のアウトドアや災害時或いは介護用の便器として好適である。また、構成も極めて簡単であり、安価に提供することが可能である。
【００１４】
また、使用後収納袋を前方に引き出して便座から取り外す操作ですみ、取り外し操作が容易であり、高齢者や身体の不自由な人でも使い勝手が良く、介護用の簡易便器として特に優れている。
【００１５】
更に、使用者は、便座に着座して背凭れに寄りかかることができ、更に肘掛にも寄りかかることができるために安定した姿勢で使用することができ、特に高齢者や身体の不自由な人にも使い易い等の効果を奏するものである。
【考案を実施するための最良の形態】
【００１６】
以下、本考案の一実施形態に係わる簡易便器について図面に基づいて説明する。
【００１７】
図１に示すように簡易便器１は、折畳み式椅子２、便座３、及び収納袋４により構成されている。折畳み式椅子２は、前側脚部６、後側脚部７、及び着座ベースとしての着座プレート（着座ベース）８からなる。前側脚部６は、上下方向に長い矩形状をなしている。後側脚部７は、両側部７ａ，７ａの幅（外法）が前側脚部６の両側部６ａ，６ａの幅（外法）と同じ幅とされ、当該前側脚部６よりも短く上方に開口する角形のＵ字状をなしている。
【００１８】
着座プレート８は、前方に開口し左右両側部８ａの前端部８ｂが所定の長さを備えた細長矩形状の互いに所定間隔隔てつつこれらの端部で互いに結合した平面視略コの字型をなすプレート体からなる。そして、着座プレート８は、使用者が着座する際の体重に耐えられる程度の強度（剛性）を有している。また、着座プレート８の対向する内側縁部近傍は便座３の支持部とされる（以下「（便座）支持部８ｂ」という）。着座プレート８は、両側部８ａの外側の幅（外法）が、前後の脚部６，７の両側部６ａ，７ａの内側の幅（内法）と同じとされており、前後の脚部６，７の内側に配置可能とされている。なお、本実施形態のように着座ベースを着座プレート８から形成する代わりに便座３を適所で支持できるよう折曲されたパイプ状の着座フレームでこの着座ベースを代用しても良い。
【００１９】
前側脚部６と後側脚部７は、各下部６ｂ，７ｂが例えば、地面に接地した状態で前側の脚部６が後方に傾斜し、後側脚部７が前方に傾斜して側面視略人字状に配置され、かつ後側脚部７の両側部７ａの各上端７ｃが前側脚部６の両側部６ａの上部に当接している。この状態において着座プレート８は、略水平に前側脚部６及び後側脚部７の両側部６ａ，７ａの内側に配置されてこれら両側部６ａ，７ａに夫々ピン９により回動自在に軸支されている。
【００２０】
そして、前側脚部６の両側部６ａの上部と後側脚部７の両側部７ａの上部とは夫々リンク１１によりピン１２で連結されており、前側脚部６と後側脚部７とが図示の角度以上に開かないように規制されている。
【００２１】
左右の肘掛１３は、着座プレート８から所定の高さ位置に配置されている。この肘掛１３は、略へ字状をなし、前後の脚部６，７の両側部６ａ，７ａの外側に、前部１３ａが略水平をなし、後部１３ｂが斜め下方に向かって配置され、後部１３ｂが側部６ａ，７ａに夫々ピン１４により回動自在に軸支されている。これらの前後の脚部６，７、着座プレート８、及び肘掛１３は、金属のパイプ部材により形成されている。
【００２２】
この折畳み式椅子２は、着座プレート８の支持部８ｂを上方に持ち上げることにより、前後の脚部６，７がピン９，１２，１４を支点として回動して重なり、かつ着座プレート８がこれらの脚部６，７の間に収納されて平たく折畳まれる。
【００２３】
便座３は、前方に開口する上面視略Ｕ字状をなし、左右両側部３ａが着座プレート８の左右の支持部８ｂに載置され、後部３ｂが着座プレート８の後部８ｄに載置されて略水平に配置され、ヒンジ１５により回動可能に取り付けられている。この便座３は、着座プレート８に対して起立可能とされている。便座３の開口部３ｃは、着座プレート８の左右の対向する支持部８ｂの間の開口部８ｃと略同じ幅又は僅かに狭く形成されている。この便座３は、樹脂部材等により形成しても良く、或いは扁平な金属のパイプ部材により形成しても良い。
【００２４】
また、２点鎖線で示すように着座プレート８と略同じ大きさを有する背凭れ１７を便座３に重なるように配置し、後部１７ａを便座３の後部３ｂにヒンジ１８により上方に回動可能に取り付ける。背凭れ１７は、２点鎖線で示すように起立させて上部を前側脚部６の上部６ｃに係止させて使用する。また、椅子として使用するときには便座３に重ねて着座シートとして使用する。
【００２５】
収納袋４は、開口部４ａが折り返されて筒状をなし便座３の両側部３ａが先端から挿入可能な通し部４ｂとされており、開口部４ａの下方位置の外側面に周方向に沿って適宜の間隔でベルト通し４ｃが設けられている。そして、各ベルト通し４ｃに紐２０が挿通されている。収納袋４の深さは、通し部４ｂに便座３の両側部３ａが挿通されて支持された状態において、その底部が地面に接触する程度とされている。
【００２６】
この収納袋４は、軽量で柔軟性を有し嵩張ることなく、かつ耐水性を有する例えば、ポリエチレンやビニール若しくは耐水性の紙等により形成されている。また、紐２０についても収納袋４と同様である。
【００２７】
なお、図１においては紐２０は収納袋４の通し部４ｂから若干下方においてこの通し部４ｂに沿って延在するようになっているが、紐２０が収納袋４の通し部４ｂと殆ど一致した位置においてこの通し部４ｂに沿って延在するように収納袋４の図１より若干上方に紐２０を配置させても良い。
【００２８】
以下に上記簡易便器１の使用方法について説明する。図１に示すように所望の場所に折畳み椅子２を展開した後便座３を適当な位置まで下げた状態で収納袋４の通し部４ｂに両側部３ａを先端から後部まで挿入する。次いで、便座３を下げて両側部３ａの前部を着座プレート８の左右の支持部８ｂに載置する。このようにして、便座３の下部に収納袋４を装着する。また、この状態において便座３が略水平となる。また、背凭れ１７を起立させて上部を前側脚部６の上部６ｃに係止させる。
【００２９】
使用者は、便座３に着座したときに背凭れ１７に寄りかかることができ、更に肘掛１３にも寄りかかることができるために安定した姿勢で使用することができ、特に高齢者や身体が不自由な人にとっても使い心地が良く好適である．
使用後便座３の両側部３ａの前部を僅かに持ち上げて支持部８ｂから離隔させ、収納袋４を前方に引き出して便座３から取り外す。このように使用後収納袋４を前方に引き出すだけの操作ですみ、取り外しが極めて容易である。なお、本実施形態では、紐２０の先端部が収納袋４を前方に引き出す方向に向かって収納袋４から飛び出しているので、紐２０の両端部を引っ張るだけでこの収容袋４の引き出し作業を例えば片手で簡単に行うことができる。若しくは、収納袋４を便器に取り付けた状態で紐２０を結んで収容袋４の開口部を閉じた後にこの紐２０を引っ張って収納袋４を簡易便器１から引き離しても良い。
【００３０】
次いで、紐２０を複数回巻きつけて括り密封して後処理する。このとき、図２に示すように紐２０を数回巻き締めた後当該紐２０の位置で折り返し、更に紐２０を複数回巻き締めて括ることで、完全に密閉することができる。また、使用後収納袋４に固形剤を投入することにより排泄物を固形化するようにしても良い。或いは、収納袋４に予め固形剤を投入しておいたり、袋の内面に固形剤を塗布しておいたりしても良い。
【００３１】
なお、上述した簡易便器は、介護用の簡易便器としてその使用用途が限定されるものではなく、例えば大地震などの災害が起こったときに緊急用の簡易便器としても利用可能であることは言うまでもない。
【図面の簡単な説明】
【００３２】
【図１】本考案に係わる簡易便器の斜視図である。
【図２】図１に示す簡易便器に使用した収納袋の後処理の一例を示す説明図である。
【符号の説明】
【００３３】
１    簡易便器
２    折畳み式椅子
３    便座
３ａ    側部
３ｂ    後部
３ｃ    開口部
４    収納袋
４ａ    開口部
４ｂ    通し部
４ｃ    ベルト通し
６    前側脚部
６ａ    側部
６ｂ    下部
６ｃ    上部
７    後側脚部
７ａ    側部
７ｂ    下部
７ｃ    上端
８    着座プレート
８ａ    側部
８ｂ    支持部（前端部）
８ｃ    開口部
８ｄ    後部
９，１２，１４    ピン
１１    リンク
１３    肘掛
１３ａ    前部
１３ｂ    後部
１５，１８    ヒンジ
１７    背凭れ
１７ａ    後部
２０    紐
【図１】
0003114736.tif 000003
【図２】
0003114736.tif 000004